(57)【要約】【課題】本考案は、猪や猿等の獣に農作物を荒らされるのを防止する為の、アングル突起型獣撃退具である。【解決手段】  本考案の、アングル突起型獣撃退具は、獣に侵入され易い、使用中の防御壁に、通常行う、紐や針金で簡単に取り付けたり、新たな防御壁を設置する場合には角材とビスねじを用いて簡単に強固な防御壁を設置することができる特長を有している。また、このアングル突起型獣撃退具の突起で獣を撃退し、防御壁への侵入を防止する。また、紐をほどくとか、ビスねじを外すことで、アングル突起型獣撃退具を外して、他に転用することもできる。【選択図】図１
0003141428.tif 000002
【実用新案登録請求の範囲】
【請求項１】
穴開きアングルに突起を付けた、アングル突起型獣撃退具であって、アングル突起型獣撃退具によって、防御壁の中に入ろうとする獣を撃退することを特徴とした、アングル突起型獣撃退具である。また、網やトタン等の従来型の防御壁が、変形したり、或いは、獣に壊されたりする、防御壁の弱い所に取り付けることで、防御壁の補強と強化を行うことができる、アングル突起型獣撃退具である。
【考案の詳細な説明】
【技術分野】
【０００１】  本考案は、防御壁の補強と強化を兼ね、農作物を猪や猿等の獣から守る為の、獣撃退具に関するものである。
【背景技術】
【０００２】  農作物を猪や猿等の獣から守る為の有効な手段が無く、農作物が獣に荒らされる被害を防ぐ為に、網やトタン等の不完全な防御壁で農作物を囲って、獣からの被害を防ごうとしていた。
【考案の開示】
【考案が解決しようとする課題】
【０００３】網やトタン等の防御壁で農作物を囲う方法は、猪や猿等の獣が痛い思いをすることもないので、猪等には防御壁の下部等を壊されて進入され、猿等には防御壁の上部等から侵入される為、異なる種類の獣の侵入を防ぐ対策がたたない不完全な防御壁であった。本考案は従来型の防御壁の問題を解決する為に、従来型の防御壁の上部と下部や、コーナー部等の弱い部分、獣に壊されたり、進入されたりする所の補強と強化を兼ね、獣を撃退するアングル突起型獣撃退具であって、猪や猿等の異なる種類の、獣の侵入を防ぐことができるようにしたものである。
【課題を解決する為の手段】
【０００４】  本考案の、アングル突起型獣撃退具は、防御壁の上部と下部及び、及び、コーナー部等の弱い部分、獣に壊され易い所の補強と強化を兼ねた、アングル突起型獣撃退具であって、猪や猿等の異なる種類の、獣の侵入を防ぐことができるようにするもので、アングル突起型獣撃退具と角材を組み合わせて、ビスねじ等で固定することによって、補強と強化が簡単にできることを特徴とし、アングルと角材の強度で、防御壁の補強と強化がなされ、アングル突起型獣撃退具で、獣を撃退する。なお、上部や下部の突破を諦めた獣が、防御壁の中部を破ろうとした場合でも、上下に設置された、突起型有害獣撃退具に獣の手や足、鼻等が触れ易く、獣も無理な行動が出来にくいが、より、十分な効果を出す為に、中部等にも同様にして取り付けることができる。下方や中部に設置したアングル突起型獣撃退具で猪等の侵入を防ぎ、上方に設置したアングル突起型獣撃退具で猿等の侵入を防ぐ。例えば、猿等が上方のアングル突起型獣撃退具に手をかけると、突起で痛い思いをし、また、防御壁を飛び越えようとしても突起に刺さるので、本考案のアングル突起型獣撃退具を取り付けることで、従来型の防御壁を低く出来る。よって、アングル突起型獣撃退具や、角材の費用がかかるが、その分、補強や獣の進入防止対策の作業が簡単になり、また、防御壁を低くすることで、風等の抵抗も少なくなり、防御壁を保持する縦柱の設置も容易になる点を考慮すると、本考案は、特別な問題もなく従来型の防御壁の問題点を解決している。合わせて、防御壁を低くできることで、農作物に必要な、日当たりも良くなる特長を有している。
尚、防御壁に、アングル突起型獣撃退具を取り付ける場合においては、角材を使わずに、アングル穴を使い、針金や紐等で使用中の防御壁とアングル突起型獣撃退具を組み合わせて、簡単に固定することができるので、角材の使用は状況判断で決めれば良い。角材を使わない場合でも、アングル突起型獣撃退具のアングル部分の補強が得られる。また、一般的な畑は、上面から見て四角形であるので、防御壁も上面から見ると四角形になるので、この角部には、アングル突起型獣撃退具を防御壁の高さに合わせた寸法に切断して、突起を外側に向けて取り付けておけば、補強及び獣に対する角部の対策も簡単にできる。この様に、穴開きアングルの、アングル突起型獣撃退具は、新しく防御壁を作る場合でも、又、使用中の防御壁に取り付ける場合でも、簡単に実施することができる。
【考案の効果】
【０００５】  猪と猿等の異なる獣では、防御壁の防御対策が異なり、低コストで十分な効果が得られる防御壁が無い現状であったが、本考案のアングル突起型獣撃退具を設置しておくだけで、その場に来た、猪や猿等の獣は、アングル突起型獣撃退具の痛さや壊れにくさを知り、防御壁突破を諦め、その場を離れるので、防御壁を壊されることもなく、農作物被害を防げる。また、本考案は、従来型の防御壁の、上端を突破されていた猿を撃退できるので、防御壁を低くできる。尚、アングル突起型獣撃退具を使って、防御壁を設置したり、使用中の防御壁を補強したりする場合には、角材を使ってビスねじで固定する方がより強固で好ましいが、角材を使わず、アングル突起型獣撃退具を、従来型の防御壁と組み合わせ、アングル突起型獣撃退具の穴を使って、紐や針金で固定して置いても良い。よって、ビスねじを外したり、紐や針金をほどくだけで、突起型獣撃退具を取り外すことができるので、農作物の収穫期に合わせて、アングル突起型獣撃退具のみを、別の防御壁に転用できる。よって、従来型の防御壁に比べて、本考案のアングル突起型獣撃退具を使う方が、防御壁を強固にでき獣に壊されないし、獣の侵入を防止できるので、有利で有り、従来型防御壁の問題を解決している。
【考案を実施する為の最良の形態】
【０００６】  穴開きアングルに突起を付けた、アングル突起型獣撃退具であるので、アングル突起型獣撃退具と角材を組み合わせて、ビスねじ等で固定することによって、強固な防御壁を組み立てることができる。また、穴開きアングルの突起型獣撃退具と角材の組合せで、防御壁の修理、補強が簡単にできる、アングル突起型獣撃退具である。尚、角材を使わずに、従来型防御壁と、穴開きアングルのアングル突起型獣撃退具を組み合わせ、穴開きアングルの穴を使って、紐、または、針金で従来型防御壁とアングル突起型獣撃退具を固定するだけでも、猪や猿等の獣を撃退でき、アングル部分の強度で補強ができる。また、有害獣の被害の無い時期は、突起型獣撃退具にカバーをかけて置くとか、突起型獣撃退具のみを外して、猪や猿等の獣に荒らされ易い畑等の、別の場所の防御壁に転用して、効率よく使用する事ができる。
【実施例】
【０００７】以下、添付図面に従って実施例を説明する。１は、アングル突起型獣撃退具の本体で、２は突起、３は、穴である。この穴を用いて、４の、角材と、５のビスねじを用いて６の、防御壁を固定する。尚、７は、地面で、角材の固定は、一般的な足場パイプで縦柱を地面に立てて、足場パイプ用の角材固定金物を用いて組み合わせればよい。また、使用中の防御壁、６に、１の、アングル突起型獣撃退具を組み合わせて固定する場合は、普段、普通に行う、３の、穴に一般的な紐や針金等を通して、６の、防御壁と固定すればよい。【０００８】１の、アングル突起型獣撃退具と、４の、角材、及び、５の、ビスねじを用いて、新しく防御壁を設置する実施例を説明すると、［図４］に示すごとく防御壁の網を固定する。網は、獣に中部を破られる恐れが有るので、中部にもアングル突起型獣撃退具を取り付けた例を示す。［図５］に示すごとく、６の、防御壁のトタンやベニヤ板等とアングル突起型獣撃退具とを、５の、ビスねじを用いて固定する。［図６］に示すごとく防御壁網の角部を固定する。網の防御壁は、獣に角部を破られる恐れが有るので、角部にもアングル突起型獣撃退具を取り付けた例を示す。［図７］に示すごとく、アングル突起型獣撃退具の突起を、８の、突起カバーで被せておけば、突起が邪魔になるのを防げる。
【図面の簡単な説明】
【０００９】
【図１】考案のアングル突起型獣撃退具の正面図である。
【図２】アングル突起型獣撃退具の側面図である。
【図３】アングル突起型獣撃退具の側面図である。
【図４】アングル突起型獣撃退具の使用実施例を示す。
【図５】アングル突起型獣撃退具の使用実施例を示す。
【図６】アングル突起型獣撃退具の使用実施例を示す。
【図７】突起カバーの使用例を示す。
【符号の説明】
【００１０】１  突起型獣撃退具本体
２  突起
３  穴
４  角材
５  ビスねじ
６  防御壁
７  地面
８  突起カバー
【図１】
0003141428.tif 000003
【図２】
0003141428.tif 000004
【図３】
0003141428.tif 000005
【図４】
0003141428.tif 000006
【図５】
0003141428.tif 000007
【図６】
0003141428.tif 000008
【図７】
0003141428.tif 000009
【手続補正書】
【提出日】平成20年2月6日(2008.2.6)
【手続補正１】
【補正対象書類名】実用新案登録請求の範囲
【補正対象項目名】全文
【補正方法】変更
【補正の内容】
【実用新案登録請求の範囲】
【請求項１】
アングルに突起を付けた、アングル突起型獣撃退具。
【請求項２】
請求項１に記載した、アングル突起型獣撃退具であって、穴の開いたアングルに突起を付けた、アングル突起型獣撃退具。
【手続補正３】
【補正対象書類名】明細書
【補正対象項目名】０００４
【補正方法】変更
【補正の内容】
【０００４】  本考案の、アングル突起型獣撃退具は、防御壁の上部と下部、及び、コーナー部等の弱い部分、獣に壊され易い所の補強と強化を兼ねた、アングル突起型獣撃退具である。また、猪や猿等の異なる種類の、獣の侵入を防ぐことができるようにするもので、アングル突起型獣撃退具と角材を組み合わせて、ビスねじ等で固定することによって、補強と強化が簡単にできる。アングルと角材の強度で、防御壁の補強と強化がなされ、アングル突起型獣撃退具で、獣を撃退する。なお、上部や下部の突破を諦めた獣が、防御壁の中部を破ろうとした場合でも、上下に設置された、突起型有害獣撃退具に獣の手や足、鼻等が触れ易く、獣も無理な行動が出来にくいが、より、十分な効果を出す為に、中部等にも同様にして取り付けることができる。下方や中部に設置したアングル突起型獣撃退具で猪等の侵入を防ぎ、上方に設置したアングル突起型獣撃退具で猿等の侵入を防ぐ。例えば、猿等が上方のアングル突起型獣撃退具に手をかけると、突起で痛い思いをし、また、防御壁を飛び越えようとしても突起に刺さるので、本考案のアングル突起型獣撃退具を取り付けることで、従来型の防御壁を低く出来る。よって、アングル突起型獣撃退具や、角材の費用がかかるが、その分、補強や獣の進入防止対策の作業が簡単になり、また、防御壁を低くすることで、風等の抵抗も少なくなり、防御壁を保持する縦柱の設置も容易になる点を考慮すると、本考案は、特別な問題もなく従来型の防御壁の問題点を解決している。合わせて、防御壁を低くできることで、農作物に必要な、日当たりも良くなる特長を有している。
尚、防御壁に、アングル突起型獣撃退具を取り付ける場合においては、角材を使わずに、アングル穴を使い、針金や紐等で使用中の防御壁とアングル突起型獣撃退具を組み合わせて、簡単に固定することができるので、角材の使用は状況判断で決めれば良い。角材を使わない場合でも、アングル突起型獣撃退具のアングル部分の補強が得られる。また、一般的な畑は、上面から見て四角形であるので、防御壁も上面から見ると四角形になるので、この角部には、アングル突起型獣撃退具を防御壁の高さに合わせた寸法に切断して、突起を外側に向けて取り付けておけば、補強及び獣に対する角部の対策も簡単にできる。この様に、アングル突起型獣撃退具は、新しく防御壁を作る場合でも、また、使用中の防御壁に取り付ける場合でも、簡単に実施することができる。